(57)【要約】      （修正有）【課題】建物の出隅部を形成する２つの外壁材の小口の間に施工することができるとともに、意匠性を損なわないように、土台部から軒天部まで一定幅で一直線状のシーリング目地を形成することができる目地ジョイナーを提供する。【解決手段】第１固定部１２と、第１係止部２２と、シーリング打設部３２と、第２係止部４２が連結して形成されており、第１固定部は、平坦な板部であり、第１係止部は、第１固定部とシーリング打設部の間に、第１固定部に対して斜めに設けてあり、シーリング打設部は、第１係止部と第２係止部の間に、第１係止部に対して垂直に設けてあり、第２係止部は、シーリング打設部に対して垂直に設けてあり、第１係止部とは平行であるよう形成して目地ジョイナーＡ２を構成する。【選択図】図３
0003152777.tif 000002
【実用新案登録請求の範囲】
【請求項１】
建物の出隅部を形成するための２つの外壁材の小口の間に施工される目地ジョイナーであって、
第１固定部と、第１係止部と、シーリング打設部と、第２係止部が連結して形成されており、
第１固定部は、平坦な板部であり、
第１係止部は、第１固定部とシーリング打設部の間に、該第１固定部に対して斜めに設けてあり、
シーリング打設部は、第１係止部と第２係止部の間に、該第１係止部に対して垂直に設けてあり、
第２係止部は、シーリング打設部に対して垂直に設けてあり、第１係止部とは平行である
ことを特徴とする目地ジョイナー。
【請求項２】
請求項１に記載の目地ジョイナーであって、
更に、ガイド部を連結して備えており、
ガイド部は、前記第２係止部の前記シーリング打設部と連結した側とは反対側に連結しており、前記第１固定部に対して垂直に設けてある
ことを特徴とする目地ジョイナー。
【請求項３】
請求項１に記載の目地ジョイナーであって、
更に、第２固定部を連結して備えており、
第２固定部は、前記第２係止部の前記シーリング打設部と連結した側とは反対側に連結しており、前記第１固定部に対して垂直に設けてある平坦な板部である
ことを特徴とする目地ジョイナー。
【考案の詳細な説明】
【技術分野】
【０００１】
本考案は、建物の出隅部を形成する２つの外壁材の小口の間に施工することができる目地ジョイナーに関するものである。
【背景技術】
【０００２】
従来から行われている住宅の出隅部を形成する方法としては、金属製の差し込み出隅を出隅部に差し込む方法がある（特許文献１を参照）。
また、２枚の外壁材を４５度にカットして接着剤で接合し、接合部を面取りし、面取部を塗装することにより製造された同質出隅柱を、出隅部に施工する方法もある（特許文献２を参照）。
【０００３】
しかし、差し込み出隅を施工した場合、最近の高意匠の外壁材との接合部分に違和感があり、意匠性が損なわれる。
【０００４】
また、同質出隅柱を施工した場合、隣接する外壁材との間にシーリング材を縦に２カ所打設するので、そのシーリング面が左右の外壁面で目立ち、意匠性が損なわれてしまう。
【０００５】
また、２枚の外壁材の小口を４５度にカットし、出隅部で突き合わせる方法がある。
しかし、２枚の外壁材をカットして出隅部で突き合わせると、施工の誤差などにより、ズレや隙間が発生し、意匠性を低下させてしまう。また、接合の際に接着剤などが必要になるが、該接着剤を表面にはみ出させないことは困難である。
【０００６】
そこで、２枚の外壁材の小口を４５度にカットし、出隅部に間隔をあけて配置して、該出隅部に空間を形成し、該空間にシーリング材を充填してシーリング目地を形成する方法がある。
しかし、出隅部にシーリング目地を形成した場合、シーリング目地は土台部から軒天部まで形成されるので、一定幅で一直線状のシーリング目地を形成することが重要であるが、施工の誤差などにより、シーリング目地の幅は一定とならず、意匠性を低下させてしまう。
【先行技術文献】
【特許文献】
【０００７】
【特許文献１】特開平８−２４６６５５号公報
【特許文献２】特開２００５−３３６９１９号公報
【考案の概要】
【考案が解決しようとする課題】
【０００８】
本考案は、建物の出隅部を形成する２つの外壁材の小口の間に施工することができるとともに、意匠性を損なわないように、土台部から軒天部まで一定幅で一直線状のシーリング目地を形成することができる目地ジョイナーを提供するものである。
【課題を解決するための手段】
【０００９】
本考案は、建物の出隅部を形成するための２つの外壁材の小口の間に施工される目地ジョイナーを提供する。本考案の目地ジョイナーは、第１固定部と、第１係止部と、シーリング打設部と、第２係止部が連結して形成されている。そして、第１固定部は、平坦な板部である。第１係止部は、第１固定部とシーリング打設部の間に、第１固定部に対して斜めに設けてある。シーリング打設部は、第１係止部と第２係止部の間に、第１係止部に対して垂直に設けてある。第２係止部は、シーリング打設部に対して垂直に設けてあり、第１係止部とは平行である。本考案の目地ジョイナーにおいては、更に、第２係止部のシーリング打設部と連結した側とは反対側に連結しており、第１固定部に対して垂直に設けてあるガイド部を備えている、又は、第２係止部のシーリング打設部と連結した側とは反対側に連結しており、第１固定部に対して垂直に設けてある、平坦な板部である第２固定部を備えていることが好ましい。なお、本考案の目地ジョイナーは、ガルバリウム鋼板、ガルタイト鋼板、アルミ鋼板、ステンレス鋼板、合金めっき鋼板、トタン、銅板などの金属板や、フェノール樹脂、アクリル樹脂、エポキシ樹脂などの樹脂板により製造される。また、本考案の目地ジョイナーとともに建物の出隅部を形成する外壁材としては、木繊維補強セメント板、繊維補強セメント板、繊維補強セメント・ケイ酸カルシウム板などの窯業系サイディングボード、金属系サイディングボード、ＡＬＣボードなどがある。更に、本考案の目地ジョイナーとともに建物の出隅部を形成するシーリング材としては、施工後に防水効果を発揮すると共に、外壁材の経時の伸縮変化に対応可能な弾性材である、ポリウレタン系、ウレタン系、アクリル系、アクリルウレタン系、シリコーン系、変成シリコーン系、ポリサルファイド系、変成ポリサルファイド系、ブチルゴム系などがある。
【考案の効果】
【００１０】
本考案によれば、建物の出隅部を形成する２つの外壁材の小口の間に施工することが可能であるとともに、意匠性を損なわないように、土台部から軒天部まで一定幅で一直線状のシーリング目地を形成することが可能である目地ジョイナーを提供することができる。
【図面の簡単な説明】
【００１１】
【図１】図１は、本考案にかかる目地ジョイナーの一実施例を示す断面図である。
【図２】図２は、図１に示す目地ジョイナーを用いて形成された建物の出隅部の施工状態を示す断面図である。
【図３】図３は、本考案にかかる目地ジョイナーの他の実施例を示す断面図である。
【図４】図４は、図３に示す目地ジョイナーを用いて形成された建物の出隅部の施工状態を示す断面図である。
【図５】図５は、本考案にかかる目地ジョイナーの更に他の実施例を示す断面図である。
【図６】図６は、図５に示す目地ジョイナーを用いて形成された建物の出隅部の施工状態を示す断面図である。
【図７】図７は、本考案にかかる目地ジョイナーの更に他の実施例を示す断面図である。
【図８】図８は、図７に示す目地ジョイナーを用いて形成された建物の出隅部の施工状態を示す断面図である。
【図９】図９は、本考案にかかる目地ジョイナーの更に他の実施例を示す断面図である。
【図１０】図１０は、図９に示す目地ジョイナーを用いて形成された建物の出隅部の施工状態を示す断面図である。
【図１１】図１１は、本考案にかかる目地ジョイナーの更に他の実施例を示す断面図である。
【図１２】図１２は、図１１に示す目地ジョイナーを用いて形成された建物の出隅部の施工状態を示す断面図である。
【図１３】図１３は、本考案にかかる目地ジョイナーの更に他の実施例を示す断面図である。
【図１４】図１４は、図１３に示す目地ジョイナーを用いて形成された建物の出隅部の施工状態を示す断面図である。
【図１５】図１５は、本考案にかかる目地ジョイナーの更に他の実施例を示す断面図である。
【図１６】図１６は、図１５に示す目地ジョイナーを用いて形成された建物の出隅部の施工状態を示す断面図である。
【考案を実施するための形態】
【００１２】
以下、図面を参照しながら本考案について詳細に説明する。
【００１３】
図１は、本考案にかかる目地ジョイナーの一実施例を示す断面図である。
図１に示す目地ジョイナーＡ１は、１枚のガルバリウム鋼板を折曲加工して製造されており、第１固定部１１と、第１係止部２１と、シーリング打設部３１と、第２係止部４１が連結して形成されている。
第１固定部１１は、平坦な板部である。そして、第１固定部１１の端部からは第１係止部２１が、第１固定部１１に対して約１３５度の角度で延びている。更に、第１係止部２１の他の端部からはシーリング打設部３１が、第１係止部２１に対して垂直に延びており、更に、シーリング打設部３１の他の端部からは第２係止部４１が、シーリング打設部３１に対して垂直に延びている。よって、第１係止部２１は、第１固定部１１とシーリング打設部３１の間に、第１固定部１１に対して斜めに設けられている。そして、シーリング打設部３１は、第１係止部２１と第２係止部４１の間に、第１係止部２１に対して垂直に設けられており、第２係止部４１は、シーリング打設部３１に対して垂直に設けてあり、第１係止部２１とは平行である。
【００１４】
図２は、図１に示す目地ジョイナーＡ１を用いて形成された建物の出隅部の施工状態を示す断面図である。
図２の出隅部では、柱Ｄの木繊維補強セメント板Ｅ１、Ｅ２と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図１に示す目地ジョイナーＡ１が、シーリング打設部３１が出隅部に配され、第１固定部１１が胴縁Ｂ１に当接した状態で、第１固定部１１に釘G1が打ち込まれて固定されている。そして、目地ジョイナーＡ１の第１係止部２１に当接するように木繊維補強セメント板Ｅ１が配され、固定されている。また、目地ジョイナーＡ１の第２係止部４１に当接するように別の木繊維補強セメント板Ｅ２が配され、固定されている。なお、木繊維補強セメント板Ｅ１、Ｅ２は、小口が目地ジョイナーＡ１の第１係止部２１、第２係止部４１に当接できるように、木繊維補強セメント板Ｅ１、Ｅ２の小口には傾斜面が設けられている。この傾斜面は、小口から裏面にかけて、裏面に対して約１３５度の角度で設けられており、該傾斜面が目地ジョイナーＡ１の第１係止部２１、第２係止部４１に当接している。また、木繊維補強セメント板Ｅ１、Ｅ２の小口が全て傾斜面であると、外側の端部（表面側に連結した端部）は破損しやすいので、傾斜面は外側の端部にまで到達しないよう、外側の端部と距離をあけて設けられている。すなわち、木繊維補強セメント板Ｅ１、Ｅ２の小口は、傾斜面と、裏面に対して垂直である面を有する。そして、木繊維補強セメント板Ｅ１、Ｅ２の小口と目地ジョイナーＡ１とで囲われた空間には、ポリウレタン系シーリングＦ１が充填されている。
図２の施工構造では、木繊維補強セメント板Ｅ１、Ｅ２は、目地ジョイナーＡ１の第１係止部２１、第２係止部４１に当接した状態で固定されているので、木繊維補強セメント板Ｅ１、Ｅ２の間には、上から下にかけて、目地ジョイナーＡ１のシーリング打設部３１により間隔が形成されている。すなわち、木繊維補強セメント板Ｅ１、Ｅ２の間には、上から下にかけて、目地ジョイナーＡ１のシーリング打設部３１の幅の間隔が形成されている。そして、該間隔には、ポリウレタン系シーリングＦ１が充填されてシーリング目地を形成するので、土台部から軒天部まで一定幅で一直線状のシーリング目地が形成されることとなり、意匠性を損なわない。よって、図１に示した本考案の目地ジョイナーによれば、土台部から軒天部まで一定幅で一直線状のシーリング目地を形成することができ、意匠性を損なわない。
【００１５】
図３は、本考案にかかる目地ジョイナーの他の実施例を示す断面図である。
図３に示す目地ジョイナーＡ２は、１枚のガルバリウム鋼板を折曲加工して製造されており、第１固定部１２と、第１係止部２２と、シーリング打設部３２と、第２係止部４２と、ガイド部５２が連結して形成されている。
第１固定部１２は、平坦な板部であり、第１固定部１２の端部からは第１係止部２２が、第１固定部１２に対して約１３５度の角度で延びている。そして、第１係止部２２の他の端部からはシーリング打設部３２が、第１係止部２２に対して垂直に延びており、更に、シーリング打設部３２の他の端部からは第２係止部４２が、シーリング打設部３２に対して垂直に延びている。更に、第２係止部４２の他の端部からはガイド部５２が、第１係止部２２に向かって、第１固定部１２に対して垂直となるように延びている。すなわち、図３に示す目地ジョイナーＡ２は、図１に示す目地ジョイナーＡ１とはガイド部５２を有することが異なる。
しかし、図３に示す目地ジョイナーＡ２においても、第１係止部２２は、第１固定部１２とシーリング打設部３２の間に、第１固定部１２に対して斜めに設けられている。そして、シーリング打設部３２は、第１係止部２２と第２係止部４２の間に、第１係止部２２に対して垂直に設けられており、第２係止部４２は、シーリング打設部３２に対して垂直に設けてあり、第１係止部２２とは平行である。更に、図３に示す目地ジョイナーＡ２においては、ガイド部５２が、第２係止部４２のシーリング打設部３２と連結した側とは反対側に連結しており、第１固定部１２に対して垂直に設けてある。
【００１６】
図４は、図３に示す目地ジョイナーＡ２を用いて形成された建物の出隅部の施工状態を示す断面図である。
図４の出隅部では、柱Ｄの木繊維補強セメント板Ｅ１、Ｅ２と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図３に示す目地ジョイナーＡ２が、シーリング打設部３２が出隅部に配され、かつ、第１固定部１２が胴縁Ｂ１に当接し、ガイド部５２が胴縁Ｂ２に当接した状態で、第１固定部１２に釘G1が打ち込まれて固定されている。そして、目地ジョイナーＡ２の第１係止部２２に当接するように木繊維補強セメント板Ｅ１が配され、固定されている。また、目地ジョイナーＡ２の第２係止部４２に当接するように別の木繊維補強セメント板Ｅ２が配され、固定されている。なお、木繊維補強セメント板Ｅ１、Ｅ２は、小口が目地ジョイナーＡ２の第１係止部２２、第２係止部４２に当接できるように、木繊維補強セメント板Ｅ１、Ｅ２の小口には傾斜面が設けられている。この傾斜面は、小口から裏面にかけて、裏面に対して約１３５度の角度で設けられており、該傾斜面が目地ジョイナーＡ２の第１係止部２２、第２係止部４２に当接している。また、木繊維補強セメント板Ｅ１、Ｅ２の小口が全て傾斜面であると、外側の端部（表面側に連結した端部）は破損しやすいので、傾斜面は外側の端部にまで到達しないよう、外側の端部と距離をあけて設けられている。すなわち、木繊維補強セメント板Ｅ１、Ｅ２の小口は、傾斜面と、裏面に対して垂直である面を有する。そして、木繊維補強セメント板Ｅ１、Ｅ２の小口と目地ジョイナーＡ２とで囲われた空間には、ポリウレタン系シーリングＦ２が充填されている。
図４の施工構造では、木繊維補強セメント板Ｅ１、Ｅ２は、目地ジョイナーＡ２の第１係止部２２、第２係止部４２に当接した状態で固定されているので、木繊維補強セメント板Ｅ１、Ｅ２の間には、上から下にかけて、目地ジョイナーＡ２のシーリング打設部３２により間隔が形成されている。すなわち、木繊維補強セメント板Ｅ１、Ｅ２の間には、上から下にかけて、目地ジョイナーＡ２のシーリング打設部３２の幅の間隔が形成されている。そして、該間隔には、ポリウレタン系シーリングＦ２が充填されてシーリング目地を形成するので、土台部から軒天部まで一定幅で一直線状のシーリング目地が形成されることとなり、意匠性を損なわない。よって、図３に示した本考案の目地ジョイナーによれば、土台部から軒天部まで一定幅で一直線状のシーリング目地を形成することができ、意匠性を損なわない。
【００１７】
図５は、本考案にかかる目地ジョイナーの更に他の実施例を示す断面図である。
図５に示す目地ジョイナーＡ３は、１枚のガルバリウム鋼板を折曲加工して製造されており、第１固定部１３と、連結部６３と、第１係止部２３と、シーリング打設部３３と、第２係止部４３が連結して形成されている。
第１固定部１３は、平坦な板部であり、第１固定部１３の端部から連結部６３が延びており、連結部６３の他の端部からは第１係止部２３が、第１固定部１３に対して約１３５度の角度で延びている。そして、第１係止部２３の他の端部からはシーリング打設部３３が、第１係止部２３に対して垂直に延びており、更に、シーリング打設部３３の他の端部からは第２係止部４３が、シーリング打設部３３に対して垂直に延びている。すなわち、図５に示す目地ジョイナーＡ３は、図１に示す目地ジョイナーＡ１とは連結部６３を有することが異なる。
しかし、図５に示す目地ジョイナーＡ３においても、第１係止部２３は、第１固定部１３とシーリング打設部３３の間に、第１固定部１３に対して斜めに設けられている。そして、シーリング打設部３３は、第１係止部２３と第２係止部４３の間に、第１係止部２３に対して垂直に設けられており、第２係止部４３は、シーリング打設部３３に対して垂直に設けてあり、第１係止部２３とは平行である。
【００１８】
図６は、図５に示す目地ジョイナーＡ３を用いて形成された建物の出隅部の施工状態を示す断面図である。
図６の出隅部では、柱Ｄの木繊維補強セメント板Ｅ１、Ｅ２と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図５に示す目地ジョイナーＡ３が、シーリング打設部３３が出隅部に配され、かつ、第１固定部１３が胴縁Ｂ１に当接した状態で、第１固定部１３に釘G1が打ち込まれて固定されている。そして、目地ジョイナーＡ３の第１係止部２３に当接するように木繊維補強セメント板Ｅ１が配され、固定されている。また、目地ジョイナーＡ３の第２係止部４３に当接するように別の木繊維補強セメント板Ｅ２が配され、固定されている。なお、木繊維補強セメント板Ｅ１、Ｅ２は、小口が目地ジョイナーＡ３の第１係止部２３、第２係止部４３に当接できるように、木繊維補強セメント板Ｅ１、Ｅ２の小口には傾斜面が設けられている。この傾斜面は、小口から裏面にかけて、裏面に対して約１３５度の角度で設けられており、該傾斜面が目地ジョイナーＡ３の第１係止部２３、第２係止部４３に当接している。また、木繊維補強セメント板Ｅ１、Ｅ２の小口が全て傾斜面であると、外側の端部（表面側に連結した端部）は破損しやすいので、傾斜面は外側の端部にまで到達しないよう、外側の端部と距離をあけて設けられている。すなわち、木繊維補強セメント板Ｅ１、Ｅ２の小口は、傾斜面と、裏面に対して垂直である面を有する。そして、木繊維補強セメント板Ｅ１、Ｅ２の小口と目地ジョイナーＡ３とで囲われた空間には、ポリウレタン系シーリングＦ３が充填されている。
図６の施工構造では、木繊維補強セメント板Ｅ１、Ｅ２は、目地ジョイナーＡ３の第１係止部２３、第２係止部４３に当接した状態で固定されているので、木繊維補強セメント板Ｅ１、Ｅ２の間には、上から下にかけて、目地ジョイナーＡ３のシーリング打設部３３により間隔が形成されている。すなわち、木繊維補強セメント板Ｅ１、Ｅ２の間には、上から下にかけて、目地ジョイナーＡ３のシーリング打設部３３の幅の間隔が形成されている。そして、該間隔には、ポリウレタン系シーリングＦ３が充填されてシーリング目地を形成するので、土台部から軒天部まで一定幅で一直線状のシーリング目地が形成されることとなり、意匠性を損なわない。よって、図５に示した本考案の目地ジョイナーによれば、土台部から軒天部まで一定幅で一直線状のシーリング目地を形成することができ、意匠性を損なわない。
【００１９】
図７は、本考案にかかる目地ジョイナーの更に他の実施例を示す断面図である。
図７に示す目地ジョイナーＡ４は、１枚のガルバリウム鋼板を折曲加工して製造されており、第１固定部１４と、連結部６４と、第１係止部２４と、シーリング打設部３４と、第２係止部４４と、連結部７４と、ガイド部５４が連結して形成されている。
第１固定部１４は、平坦な板部であり、第１固定部１４の端部からは連結部６４が延びており、連結部６４の他の端部からは第１係止部２４が、第１固定部１４に対して約１３５度の角度で延びている。そして、第１係止部２４の他の端部からはシーリング打設部３４が、第１係止部２４に対して垂直に延びており、更に、シーリング打設部３４の他の端部からは第２係止部４４が、シーリング打設部３４に対して垂直に延びている。更に、第２係止部４４の他の端部からは連結部７４が延びており、連結部７４の他の端部からはガイド部５４が、第１係止部２４に向かって、第１固定部１４に対して垂直となるように延びている。すなわち、図７に示す目地ジョイナーＡ４は、図５に示す目地ジョイナーＡ３とは連結部７４とガイド部５４を有することが異なる。
しかし、図７に示す目地ジョイナーＡ４においても、第１係止部２４は、第１固定部１４とシーリング打設部３４の間に、第１固定部１４に対して斜めに設けられている。そして、シーリング打設部３４は、第１係止部２４と第２係止部４４の間に、第１係止部２４に対して垂直に設けられており、第２係止部４４は、シーリング打設部３４に対して垂直に設けてあり、第１係止部２４とは平行である。更に、図７に示す目地ジョイナーＡ４においては、ガイド部５４が、第２係止部４４のシーリング打設部３４と連結した側とは反対側に連結しており、第１固定部１４に対して垂直に設けてある。
【００２０】
図８は、図７に示す目地ジョイナーＡ４を用いて形成された建物の出隅部の施工状態を示す断面図である。
図８の出隅部では、柱Ｄの木繊維補強セメント板Ｅ１、Ｅ２と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図７に示す目地ジョイナーＡ４が、シーリング打設部３４が出隅部に配され、かつ、第１固定部１４が胴縁Ｂ１に当接し、ガイド部５４が胴縁Ｂ２に当接した状態で、第１固定部１４に釘G1が打ち込まれて固定されている。そして、目地ジョイナーＡ４の第１係止部２４に当接するように木繊維補強セメント板Ｅ１が配され、固定されている。また、目地ジョイナーＡ４の第２係止部４４に当接するように別の木繊維補強セメント板Ｅ２が配され、固定されている。なお、木繊維補強セメント板Ｅ１、Ｅ２は、小口が目地ジョイナーＡ４の第１係止部２４、第２係止部４４に当接できるように、木繊維補強セメント板Ｅ１、Ｅ２の小口には傾斜面が設けられている。この傾斜面は、小口から裏面にかけて、裏面に対して約１３５度の角度で設けられており、該傾斜面が目地ジョイナーＡ４の第１係止部２４、第２係止部４４に当接している。また、木繊維補強セメント板Ｅ１、Ｅ２の小口が全て傾斜面であると、外側の端部（表面側に連結した端部）は破損しやすいので、傾斜面は外側の端部にまで到達しないよう、外側の端部と距離をあけて設けられている。すなわち、木繊維補強セメント板Ｅ１、Ｅ２の小口は、傾斜面と、裏面に対して垂直である面を有する。そして、木繊維補強セメント板Ｅ１、Ｅ２の小口と目地ジョイナーＡ４とで囲われた空間には、ポリウレタン系シーリングＦ４が充填されている。
図８の施工構造では、木繊維補強セメント板Ｅ１、Ｅ２は、目地ジョイナーＡ４の第１係止部２４、第２係止部４４に当接した状態で固定されているので、木繊維補強セメント板Ｅ１、Ｅ２の間には、上から下にかけて、目地ジョイナーＡ４のシーリング打設部３４により間隔が形成される。すなわち、木繊維補強セメント板Ｅ１、Ｅ２の間には、上から下にかけて、目地ジョイナーＡ４のシーリング打設部３４の幅の間隔が形成される。そして、該間隔には、ポリウレタン系シーリングＦ４が充填されてシーリング目地を形成するので、土台部から軒天部まで一定幅で一直線状のシーリング目地が形成されることとなり、意匠性を損なわない。よって、図７に示した本考案の目地ジョイナーによれば、土台部から軒天部まで一定幅で一直線状のシーリング目地を形成することができ、意匠性を損なわない。
【００２１】
図９は、本考案にかかる目地ジョイナーの更に他の実施例を示す断面図である。
図９に示す目地ジョイナーＡ５は、１枚のガルバリウム鋼板を折曲加工して製造されており、第１固定部１５と、第１係止部２５と、連結部８５と、シーリング打設部３５と、連結部９５と、第２係止部４５が連結して形成されている。
第１固定部１５は、平坦な板部であり、第１固定部１５の端部からは第１係止部２５が、第１固定部１５に対して約１３５度の角度で延びている。そして、第１係止部２５の他の端部からは連結部８５が延びており、連結部８５の他の端部からはシーリング打設部３５が、第１係止部２５に対して垂直に延びており、更に、シーリング打設部３５の他の端部からは連結部９５が延びており、連結部９５の他の端部からは第２係止部４５が、シーリング打設部３５に対して垂直に延びている。すなわち、図９に示す目地ジョイナーＡ５は、図１に示す目地ジョイナーＡ１とは連結部８５、９５を有することと、シーリング打設部３５の長さが異なる。
しかし、図９に示す目地ジョイナーＡ５においても、第１係止部２５は、第１固定部１５とシーリング打設部３５の間に、第１固定部１５に対して斜めに設けられている。そして、シーリング打設部３５は、第１係止部２５と第２係止部４５の間に、第１係止部２５に対して垂直に設けられており、第２係止部４５は、シーリング打設部３５に対して垂直に設けてあり、第１係止部２５とは平行である。
【００２２】
図１０は、図９に示す目地ジョイナーＡ５を用いて形成された建物の出隅部の施工状態を示す断面図である。
図１０の出隅部では、柱Ｄの木繊維補強セメント板Ｅ１、Ｅ２と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図９に示す目地ジョイナーＡ５が、シーリング打設部３５が出隅部に配され、かつ、第１固定部１５が胴縁Ｂ１に当接した状態で、第１固定部１５に釘G1が打ち込まれて固定されている。そして、目地ジョイナーＡ５の第１係止部２５に当接するように木繊維補強セメント板Ｅ１が配され、固定されている。また、目地ジョイナーＡ５の第２係止部４５に当接するように別の木繊維補強セメント板Ｅ２が配され、固定されている。なお、木繊維補強セメント板Ｅ１、Ｅ２は、小口が目地ジョイナーＡ５の第１係止部２５、第２係止部４５に当接できるように、木繊維補強セメント板Ｅ１、Ｅ２の小口には傾斜面が設けられている。この傾斜面は、小口から裏面にかけて、裏面に対して約１３５度の角度で設けられており、該傾斜面が目地ジョイナーＡ５の第１係止部２５、第２係止部４５に当接している。また、木繊維補強セメント板Ｅ１、Ｅ２の小口が全て傾斜面であると、外側の端部（表面側に連結した端部）は破損しやすいので、傾斜面は外側の端部にまで到達しないよう、外側の端部と距離をあけて設けられている。すなわち、木繊維補強セメント板Ｅ１、Ｅ２の小口は、傾斜面と、裏面に対して垂直である面を有する。そして、木繊維補強セメント板Ｅ１、Ｅ２の小口と目地ジョイナーＡ５とで囲われた空間には、ポリウレタン系シーリングＦ５が充填されている。
図１０の施工構造では、木繊維補強セメント板Ｅ１、Ｅ２は、目地ジョイナーＡ５の第１係止部２５、第２係止部４５に当接した状態で固定されているので、木繊維補強セメント板Ｅ１、Ｅ２の間には、上から下にかけて、目地ジョイナーＡ５のシーリング打設部３５と、連結部８５、９５により間隔が形成される。すなわち、木繊維補強セメント板Ｅ１、Ｅ２の間には、上から下にかけて、目地ジョイナーＡ５のシーリング打設部３５と、連結部８５、９５により一定幅の間隔が形成される。そして、該間隔には、ポリウレタン系シーリングＦ５が充填されてシーリング目地を形成するので、土台部から軒天部まで一定幅で一直線状のシーリング目地が形成されることとなり、意匠性を損なわない。よって、図９に示した本考案の目地ジョイナーによれば、土台部から軒天部まで一定幅で一直線状のシーリング目地を形成することができ、意匠性を損なわない。
【００２３】
図１１は、本考案にかかる目地ジョイナーの更に他の実施例を示す断面図である。
図１１に示す目地ジョイナーＡ６は、１枚のガルバリウム鋼板を折曲加工して製造されており、第１固定部１６と、連結部６６と、第１係止部２６と、連結部８６と、シーリング打設部３６と、連結部９６と、第２係止部４６と、連結部７６と、ガイド部５６が連結して形成されている。
第１固定部１６は、平坦な板部であり、第１固定部１６の端部からは連結部６６が延びており、連結部６６の他の端部からは第１係止部２６が、第１固定部１６に対して約１３５度の角度で延びている。そして、第１係止部２６の他の端部からは連結部８６が延びており、連結部８６の他の端部からはシーリング打設部３６が、第１係止部２６に対して垂直に延びており、更に、シーリング打設部３６の他の端部からは連結部９６が延びており、連結部９６の他の端部からは第２係止部４６が、シーリング打設部３６に対して垂直に延びている。更に、第２係止部４６の他の端部からは連結部７６が延びており、連結部７６の他の端部からはガイド部５６が、第１係止部２６に向かって、第１固定部１６に対して垂直となるように延びている。すなわち、図１１に示す目地ジョイナーＡ６は、図９に示す目地ジョイナーＡ５とは連結部７６とガイド部５６を有することが異なる。
しかし、図１１に示す目地ジョイナーＡ６においても、第１係止部２６は、第１固定部１６とシーリング打設部３６の間に、第１固定部１６に対して斜めに設けられている。そして、シーリング打設部３６は、第１係止部２６と第２係止部４６の間に、第１係止部２６に対して垂直に設けられており、第２係止部４６は、シーリング打設部３６に対して垂直に設けてあり、第１係止部２６とは平行である。更に、図１１に示す目地ジョイナーＡ６においては、ガイド部５６が、第２係止部４６のシーリング打設部３６と連結した側とは反対側に連結しており、第１固定部１６に対して垂直に設けてある。
【００２４】
図１２は、図１１に示す目地ジョイナーＡ６を用いて形成された建物の出隅部の施工状態を示す断面図である。
図１２の出隅部では、柱Ｄの木繊維補強セメント板Ｅ１、Ｅ２と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図１１に示す目地ジョイナーＡ６が、シーリング打設部３６が出隅部に配され、かつ、第１固定部１６が胴縁Ｂ１に当接し、ガイド部７６が胴縁Ｂ２に当接した状態で、第１固定部１６に釘G1が打ち込まれて固定されている。そして、目地ジョイナーＡ６の第１係止部２６に当接するように木繊維補強セメント板Ｅ１が配され、固定されている。また、目地ジョイナーＡ６の第２係止部４６に当接するように別の木繊維補強セメント板Ｅ２が配され、固定されている。なお、木繊維補強セメント板Ｅ１、Ｅ２は、小口が目地ジョイナーＡ６の第１係止部２６、第２係止部４６に当接できるように、木繊維補強セメント板Ｅ１、Ｅ２の小口には傾斜面が設けられている。この傾斜面は、小口から裏面にかけて、裏面に対して約１３５度の角度で設けられており、該傾斜面が目地ジョイナーＡ６の第１係止部２６、第２係止部４６に当接している。また、木繊維補強セメント板Ｅ１、Ｅ２の小口が全て傾斜面であると、外側の端部（表面側に連結した端部）は破損しやすいので、傾斜面は外側の端部にまで到達しないよう、外側の端部と距離をあけて設けられている。すなわち、木繊維補強セメント板Ｅ１、Ｅ２の小口は、傾斜面と、裏面に対して垂直である面を有する。そして、木繊維補強セメント板Ｅ１、Ｅ２の小口と目地ジョイナーＡ６とで囲われた空間には、ポリウレタン系シーリングＦ６が充填されている。
図１２の施工構造では、木繊維補強セメント板Ｅ１、Ｅ２は、目地ジョイナーＡ６の第１係止部２６、第２係止部４６に当接した状態で固定されているので、木繊維補強セメント板Ｅ１、Ｅ２の間には、上から下にかけて、目地ジョイナーＡ６のシーリング打設部３６と、連結部８６、９６により間隔が形成される。すなわち、木繊維補強セメント板Ｅ１、Ｅ２の間には、上から下にかけて、目地ジョイナーＡ６のシーリング打設部３６と、連結部８６、９６により一定幅の間隔が形成される。そして、該間隔には、ポリウレタン系シーリングＦ６が充填されてシーリング目地を形成するので、土台部から軒天部まで一定幅で一直線状のシーリング目地が形成されることとなり、意匠性を損なわない。よって、図１１に示した本考案の目地ジョイナーによれば、土台部から軒天部まで一定幅で一直線状のシーリング目地を形成することができ、意匠性を損なわない。
【００２５】
図１３は、本考案にかかる目地ジョイナーの更に他の実施例を示す断面図である。
図１３に示す目地ジョイナーＡ７は、１枚のガルバリウム鋼板を折曲加工して製造されており、第１固定部１７と、第１係止部２７と、シーリング打設部３７と、第２係止部４７と、ガイド部５７が連結して形成されている。
第１固定部１７は、平坦な板部であり、第１固定部１７の端部からは第１係止部２７が、第１固定部１７に対して約１３５度の角度で延びている。そして、第１係止部２７の他の端部からはシーリング打設部３７が、第１係止部２７に対して垂直に延びており、更に、シーリング打設部３７の他の端部からは第２係止部４７が、シーリング打設部３７に対して垂直に延びている。更に、第２係止部４７の他の端部からはガイド部５７が、第２係止部４７に対して約１３５度の角度で、かつ、第１固定部１７に対して垂直となるように延びている。すなわち、図１３に示す目地ジョイナーＡ７は、図１に示す目地ジョイナーＡ１とはガイド部５７を有することが異なる。
しかし、図１３に示す目地ジョイナーＡ７においても、第１係止部２７は、第１固定部１７とシーリング打設部３７の間に、第１固定部１７に対して斜めに設けられている。そして、シーリング打設部３７は、第１係止部２７と第２係止部４７の間に、第１係止部２７に対して垂直に設けられており、第２係止部４７は、シーリング打設部３７に対して垂直に設けてあり、第１係止部２７とは平行である。更に、図１３に示す目地ジョイナーＡ７においては、ガイド部５７が、第２係止部４７のシーリング打設部３７と連結した側とは反対側に連結しており、第１固定部１７に対して垂直に設けてある。
【００２６】
図１４は、図１３に示す目地ジョイナーＡ７を用いて形成された建物の出隅部の施工状態を示す断面図である。
図１４の出隅部では、柱Ｄの木繊維補強セメント板Ｅ３、Ｅ４と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図１３に示す目地ジョイナーＡ７が、シーリング打設部３７が出隅部に配され、かつ、第１固定部１７が胴縁Ｂ１に当接し、ガイド部５７が胴縁Ｂ２に当接した状態で、第１固定部１７に釘G1が打ち込まれて固定されている。そして、目地ジョイナーＡ７の第１係止部２７に当接するように木繊維補強セメント板Ｅ３が配され、固定されている。また、目地ジョイナーＡ７の第２係止部４７に当接するように別の木繊維補強セメント板Ｅ４が配され、固定されている。なお、木繊維補強セメント板Ｅ３、Ｅ４は、小口が目地ジョイナーＡ７の第１係止部２７、第２係止部４７に当接できるように、木繊維補強セメント板Ｅ３、Ｅ４の小口には傾斜面が設けられている。この傾斜面は、小口の外側の端部から裏面にかけて、裏面に対して約１３５度の角度で設けられており、該傾斜面が目地ジョイナーＡ７の第１係止部２７、第２係止部４７に当接している。そして、木繊維補強セメント板Ｅ３、Ｅ４の傾斜面と目地ジョイナーＡ７で囲われた空間には、ポリウレタン系シーリングＦ７が充填されている。
図１４の施工構造では、木繊維補強セメント板Ｅ３、Ｅ４は、目地ジョイナーＡ７の第１係止部２７、第２係止部４７に当接した状態で固定されているので、木繊維補強セメント板Ｅ３、Ｅ４の間には、上から下にかけて、目地ジョイナーＡ７のシーリング打設部３７により間隔が形成されている。すなわち、木繊維補強セメント板Ｅ３、Ｅ４の間には、上から下にかけて、目地ジョイナーＡ７のシーリング打設部３７の幅の間隔が形成されている。そして、該間隔には、ポリウレタン系シーリングＦ７が充填されてシーリング目地を形成するので、土台部から軒天部まで一定幅で一直線状のシーリング目地が形成されることとなり、意匠性を損なわない。よって、図１３に示した本考案の目地ジョイナーによれば、土台部から軒天部まで一定幅で一直線状のシーリング目地を形成することができ、意匠性を損なわない。
【００２７】
図１５は、本考案にかかる目地ジョイナーの更に他の実施例を示す断面図である。
図１５に示す目地ジョイナーＡ８は、１枚のガルバリウム鋼板を折曲加工して製造されており、第１固定部１８と、第１係止部２８と、シーリング打設部３８と、第２係止部４８と、第２固定部１０８が連結して形成されている。
第１固定部１８は、平坦な板部であり、第１固定部１８の端部からは第１係止部２８が、第１固定部１８に対して約１３５度の角度で延びている。そして、第１係止部２８の他の端部からはシーリング打設部３８が、第１係止部２８に対して垂直に延びており、更に、シーリング打設部３８の他の端部からは第２係止部４８が、シーリング打設部３８に対して垂直に延びている。更に、第２係止部４８の他の端部からは第２固定部１０８が、第２係止部４８に対して約１３５度の角度で、かつ、第１固定部１８に対して垂直となるように延びている。すなわち、図１５に示す目地ジョイナーＡ８は、図１に示す目地ジョイナーＡ１とは第２固定部１０８を有することが異なる。
しかし、図１５に示す目地ジョイナーＡ８においても、第１係止部２８は、第１固定部１８とシーリング打設部３８の間に、第１固定部１８に対して斜めに設けられている。そして、シーリング打設部３８は、第１係止部２８と第２係止部４８の間に、第１係止部２８に対して垂直に設けられており、第２係止部４８は、シーリング打設部３８に対して垂直に設けてあり、第１係止部２８とは平行である。更に、図１５に示す目地ジョイナーＡ８においては、第２固定部１０８が、第２係止部４８のシーリング打設部３８と連結した側とは反対側に連結しており、第１固定部１８に対して垂直に設けてある。
【００２８】
図１６は、図１５に示す目地ジョイナーＡ８を用いて形成された建物の出隅部の施工状態を示す断面図である。
図１６の出隅部では、柱Ｄの木繊維補強セメント板Ｅ５、Ｅ６と対向する２面には、透湿防水シートＣが固定されており、更にその上に２つの胴縁Ｂ１、Ｂ２が、出隅部で垂直に当接した状態で固定されている。そして、胴縁Ｂ１、Ｂ２の上には、図１５に示す目地ジョイナーＡ８が、シーリング打設部３８が出隅部に配され、かつ、第１固定部１８が胴縁Ｂ１に当接し、第２固定部１０８が胴縁Ｂ２に当接した状態で、第１固定部１８と第２固定部１０８に釘G１、G２が打ち込まれて固定されている。そして、目地ジョイナーＡ８の第１係止部２８に当接するように木繊維補強セメント板Ｅ５が配され、固定されている。また、目地ジョイナーＡ８の第２係止部４８に当接するように別の木繊維補強セメント板Ｅ６が配され、固定されている。なお、木繊維補強セメント板Ｅ５、Ｅ６は、小口が目地ジョイナーＡ８の第１係止部２８、第２係止部４８に当接できるように、木繊維補強セメント板Ｅ５、Ｅ６の小口には傾斜面が設けられている。この傾斜面は、小口から裏面にかけて、裏面に対して約１３５度の角度で設けられており、該傾斜面が目地ジョイナーＡ８の第１係止部２８、第２係止部４８に当接している。また、木繊維補強セメント板Ｅ５、Ｅ６の小口が全て傾斜面であると、傾斜面の外側の端部（表面側に連結した端部）は破損しやすいので、外側の端部付近は更に切断されて、切断面が設けられている。なお、該切断面には塗料が施されている。そして、木繊維補強セメント板Ｅ５、Ｅ６の傾斜面と、目地ジョイナーＡ８とで囲われた空間には、ポリウレタン系シーリングＦ８が充填されている。
図１６の施工構造では、木繊維補強セメント板Ｅ５、Ｅ６は、目地ジョイナーＡ８の第１係止部２８、第２係止部４８に当接した状態で固定されているので、木繊維補強セメント板Ｅ５、Ｅ６の間には、上から下にかけて、目地ジョイナーＡ８のシーリング打設部３８により間隔が形成されている。すなわち、木繊維補強セメント板Ｅ５、Ｅ６の間には、上から下にかけて、目地ジョイナーＡ８のシーリング打設部３８の幅の間隔が形成されている。そして、該間隔には、ポリウレタン系シーリングＦ８が充填されてシーリング目地を形成するので、土台部から軒天部まで一定幅で一直線状のシーリング目地が形成されることとなり、意匠性を損なわない。よって、図１５に示した本考案の目地ジョイナーによれば、土台部から軒天部まで一定幅で一直線状のシーリング目地を形成することができ、意匠性を損なわない。
【００２９】
以上に本考案の実施形態について説明したが、本考案はこれに限定されず、実用新案登録請求の範囲に記載の考案の範囲において種々の変形態を取り得る。
【産業上の利用可能性】
【００３０】
以上説明したように、本考案によれば、建物の出隅部を形成する２つの外壁材の小口の間に施工することが可能であるとともに、意匠性を損なわないように、土台部から軒天部まで一定幅で一直線状のシーリング目地を形成することが可能である目地ジョイナーを提供することができる。
【符号の説明】
【００３１】
Ａ１〜Ａ８          目地ジョイナー
Ｂ１、Ｂ２          胴縁
Ｃ                  透湿防水シート
Ｄ                  柱
Ｅ１〜Ｅ６          木繊維補強セメント板
Ｆ１〜Ｆ８          ポリウレタン系シーリング
Ｇ１〜Ｇ２          釘
１１〜１８          第１固定部
２１〜２８          第１係止部
３１〜３８          シーリング打設部
４１〜４８          第２係止部
５２、５４、５６、５７    ガイド部
１０８              第２固定部
【図１】
0003152777.tif 000003
【図２】
0003152777.tif 000004
【図３】
0003152777.tif 000005
【図４】
0003152777.tif 000006
【図５】
0003152777.tif 000007
【図６】
0003152777.tif 000008
【図７】
0003152777.tif 000009
【図８】
0003152777.tif 000010
【図９】
0003152777.tif 000011
【図１０】
0003152777.tif 000012
【図１１】
0003152777.tif 000013
【図１２】
0003152777.tif 000014
【図１３】
0003152777.tif 000015
【図１４】
0003152777.tif 000016
【図１５】
0003152777.tif 000017
【図１６】
0003152777.tif 000018